(57)【特許請求の範囲】
【請求項１】
ヒンジ軸を中心に相対回動可能に枢着された本体部材と、回動ケーシングと回動カバー部材によって構成した回動部材；
上記回動部材に上記ヒンジ軸と略同一軸線上に位置させて設けた中空の筒状部と、上記回動ケーシングと回動カバー部材にそれぞれ設けた、該筒状部の内周側に位置する曲折ガイド部と、を有するＦＰＣ固定回動部；
上記本体部材に、上記ヒンジ軸と略同一軸線上に位置させ、かつ回動部材の上記ＦＰＣ固定回動部と相対回動可能に設けた中空のＦＰＣ挿通部；及び
一端部が回動部材内に位置し、他端部が上記本体部材内に導かれると共に該本体部材のコネクタに接続され、かつ中間部に幅広部と幅狭部を有するＦＰＣ；を備え、
上記幅広部は、上記ＦＰＣ固定回動部に固定され、かつ上記筒状部内に位置し、
上記一対の曲折ガイド部は、互いの位置が異なり、かつ、本体部材と回動部材を相対回動させるとき、上記ＦＰＣの表裏の異なる面に接触して該ＦＰＣの曲折部を定め、該相対回動の方向によって上記狭幅部を異なる位置で曲折させ、
上記狭幅部は、上記ＦＰＣ挿通部の内部に挿通されていることを特徴とするヒンジ部のＦＰＣ案内構造。
【請求項２】
請求項１記載のＦＰＣ案内構造において、上記ＦＰＣは、本体部材内の上記コネクタとＦＰＣ固定回動部との間に、本体部材と回動部材の相対回動によるＦＰＣの動きを吸収する折り曲げ部を有することを特徴とするヒンジ部のＦＰＣ案内構造。
【請求項３】
請求項１または２記載のＦＰＣ案内構造において、上記本体部材と回動部材の間のヒンジ軸は一対が備えられ、回動部材のＦＰＣ固定回動部はこの一対のヒンジ軸の中間に位置しているヒンジ部のＦＰＣ案内構造。
【請求項４】
請求項１から３のいずれか１項記載のＦＰＣ案内構造において、上記ＦＰＣの幅広部に、上記ＦＰＣ挿通部が貫通する逃げ穴を設けた上記ヒンジ部のＦＰＣ案内構造。
【請求項５】
請求項１から４のいずれか１項記載のＦＰＣ案内構造において、回動部材の中空の筒状部は、回動部材のケーシングに形成した半割部とこの回動ケーシングと対をなす回動カバー部材に形成した半割部とによって形成されているヒンジ部のＦＰＣ案内構造。
【請求項６】
請求項１から５のいずれか１項記載のＦＰＣ案内構造において、本体部材の中空のＦＰＣ挿通部は、本体部材のケーシングに形成した半割部とこの本体ケーシングと対をなす本体カバー部材に形成した半割部とによって形成されているヒンジ部のＦＰＣ案内構造。
【請求項７】
請求項１から６のいずれか１項記載のヒンジ部のＦＰＣ案内構造において、本体部材は、デジタルカメラの本体であり、回動部材は、該デジタルカメラのディスプレイ部材であるヒンジ部のＦＰＣ案内構造。
【発明の詳細な説明】
【０００１】
【技術分野】
本発明は、ヒンジ部のＦＰＣ（フレキシブル回路基板）案内構造に関する。
【０００２】
【従来技術及びその問題点】
ヒンジ構造を用いた開閉機構において、相対的に開閉運動する一方を本体部材、他方を回動部材とすると、本体部材と回動部材との間で電気信号を授受するとき、従来はリード線での処理が一般的であった。ＦＰＣを用いた装置も知られているが、従来品は、ヒンジ部ではＦＰＣに十分に遊びを持たせて開閉動作に支障を与えないという技術思想に基づくものであった。
【０００３】
【発明の目的】
本発明は、ヒンジ部におけるＦＰＣの遊びを少なく、かつＦＰＣの外観への露出を防ぐことができるＦＰＣ案内構造を得ることを目的とする。
【０００４】
【発明の概要】
本発明は、ヒンジ軸を中心に相対回動可能に枢着された本体部材と、回動ケーシングと回動カバー部材によって構成した回動部材；上記回動部材に上記ヒンジ軸と略同一軸線上に位置させて設けた中空の筒状部と、上記回動ケーシングと回動カバー部材にそれぞれ設けた、該筒状部の内周側に位置する曲折ガイド部と、を有するＦＰＣ固定回動部；上記本体部材に、上記ヒンジ軸と略同一軸線上に位置させ、かつ回動部材の上記ＦＰＣ固定回動部と相対回動可能に設けた中空のＦＰＣ挿通部；及び一端部が回動部材内に位置し、他端部が上記本体部材内に導かれると共に該本体部材のコネクタに接続され、かつ中間部に幅広部と幅狭部を有するＦＰＣ；を備え、上記幅広部は、上記ＦＰＣ固定回動部に固定され、かつ上記筒状部内に位置し、上記一対の曲折ガイド部は、互いの位置が異なり、かつ、本体部材と回動部材を相対回動させるとき、上記ＦＰＣの表裏の異なる面に接触して該ＦＰＣの曲折部を定め、該相対回動の方向によって上記狭幅部を異なる位置で曲折させ、上記狭幅部は、上記ＦＰＣ挿通部の内部に挿通されていることを特徴としている。
さらに、ＦＰＣは、本体部材内の上記コネクタとＦＰＣ固定回動部との間に、本体部材と回動部材の相対回動によるＦＰＣの動きを吸収する折り曲げ部を有するのが好ましい。
【０００５】
本体部材と回動部材の間のヒンジ軸は一対を設け、回動部材のＦＰＣ固定回動部はこの一対のヒンジ軸の中間に位置させるとバランスがよい。
さらに、上記ＦＰＣの幅広部に、上記ＦＰＣ挿通部が貫通する逃げ穴を設けるのが好ましい。
【０００６】
回動部材の中空の筒状部（ＦＰＣ固定回動部）は、具体的には、回動部材のケーシングに形成した半割部とこの回動ケーシングと対をなす回動カバー部材に形成した半割部とによって形成することができる。
同様に、本体部材の中空のＦＰＣ挿通部は、本体部材のケーシングに形成した半割部とこの本体ケーシングと対をなす本体カバー部材に形成した半割部とによって形成することができる。
【０００８】
本発明のヒンジ部のＦＰＣ案内構造は、各種開閉機構一般に適用できるが、具体的には例えば、デジタルカメラの本体と、該デジタルカメラに開閉自在に枢着したディスプレイ部材との間に適用できる。
【０００９】
【発明の実施形態】
本実施形態は、図１ないし図４に示すデジタルカメラの本体１０と、このカメラ本体１０に開閉可能に枢着するディスプレイ部材２０との間のヒンジ部に本発明のＦＰＣ案内構造を適用した実施形態である。カメラ本体１０とディスプレイ部材２０は一方が他方に対して相対的に回動する関係であり、便宜上、カメラ本体１０を本体部材、ディスプレイ部材２０を回動部材とする。本体部材１０は、本体ケーシング１０Ｈとこの本体ケーシング１０Ｈと対をなす本体カバー部材１０Ｃとからなり、回動部材２０は、同様に、回動ケーシング２０Ｈと、回動カバー部材２０Ｃとからなっている。
【００１０】
回動部材２０は、回動ケーシング２０Ｈと回動カバー部材２０Ｃの間に保持されたＬＣＤパネル２１を有し、回動ケーシング２０Ｈには、ＬＣＤパネル２１を露出させる窓２２が形成されている。また、図１２ないし図１５に示すように、回動部材２０の回動ケーシング２０Ｈには、その側部に一体に、一対の回動側筒状部２３が間隔をおいて同一軸線上に突出形成されている。
【００１１】
一方、本体部材１０の本体ケーシング１０Ｈの側部には、図１６に明らかなように、回動部材２０の一対の回動側筒状部２３の上下に位置する一対の本体側筒状部１２が一体に突出形成されている。この本体部材１０側の本体側筒状部１２と、回動部材２０側の回動側筒状部２３とは同一軸線上に揃えられ、本体側筒状部１２と回動側筒状部２３に渡らせてヒンジ軸３０を挿通することにより、回動部材２０が本体部材１０に開閉可能に枢着される。本体側筒状部１２と回動側筒状部２３は一つずつが対をなし、図１４、図１５の上方の本体側筒状部１２と回動側筒状部２３には上方から、下方の本体側筒状部１２と回動側筒状部２３には下方から、それぞれ別のヒンジ軸３０が挿入される。
【００１２】
回動部材２０の回動側筒状部２３には、ヒンジ軸３０を挿通する前に、図１２、図１３に示すように、摩擦部材３１が挿入される。摩擦部材３１は、中空の略三角柱状に曲折形成した板ばね部材からなっている。より詳細には、三角形の各辺部３１ａが内方に向かって突出する湾曲形状をなしていて、該摩擦部材３１内にヒンジ軸３０の軸部３０ａを挿入したとき、各辺部３１ａが弾性変形して摩擦接触する。回動側筒状部２３の筒状部形状は、この摩擦部材３１の形状に対応する略断面三角形穴２３ａであって、摩擦部材３１を回り止めするとともに、辺部３１ａが軸部３０ａによって弾性変形したときには、コーナ部またはエッジ部３１ｂが強く密着して遊びがとられる。一方、本体側筒状部１２の軸穴１２ｂはヒンジ軸３０の軸部３０ａと略同一径の円形断面穴である。
【００１３】
ヒンジ軸３０は、軸部３０ａの端部に、径方向に突出する突起３０ｂを有している。一方、本体部材１０の本体側筒状部１２の端部には、この径方向突起３０ｂを嵌合させる回り止め溝１２ａが形成されている。
【００１４】
回動部材２０には、上下一対の回動側筒状部２３の間に位置させて、一対のＦＰＣ固定回動部２４が設けられており、本体部材１０には、この一対のＦＰＣ固定回動部２４の間に位置し、該ＦＰＣ固定回動部２４に対して相対回動可能なＦＰＣ挿通部１４が設けられている。ＦＰＣ固定回動部２４は、回動ケーシング２０Ｈに回動側筒状部２３と略同軸上に形成した半割部２４ａと、回動カバー部材２０Ｃに回動側筒状部２３と略同軸上に形成した半割部２４ｂとによって中空に形成されている。半割部２４ａと２４ｂの先端部には、噛み合わせを確実にする係合段部２４ｃが形成されている。
【００１５】
一方、本体部材１０のＦＰＣ挿通部１４は、本体ケーシング１０Ｈに本体側筒状部１２と略同軸上に形成した半割部１４ａと、本体カバー部材１０Ｃに本体側筒状部１２と略同軸上に形成した半割部１４ｂとによって中空に形成されている。半割部１４ａは、図５及び図１６では、突起として表れている。また、回動カバー部材２０Ｃには、本体カバー部材１０Ｃの半割部１４ｂを挿通する開口２５が形成されている。半割部１４ａと１４ｂの先端部には、噛み合わせを確実にする係合段部１４ｃが形成されている。
【００１６】
ＦＰＣ４０は、図５に示すように、回動部材２０内のＬＣＤパネル２１の背面に沿う大平面部（一端部）４０ａと、ＦＰＣ固定回動部２４に対応する幅広部４０ｂと、ＦＰＣ挿通部１４に対応する幅狭部４０ｃとを有している。幅広部４０ｂには、逃げ穴４０ｄが形成されており、この逃げ穴４０ｄに、本体ケーシング１０Ｈの半割部１４ａ及び回動ケーシング２０Ｈに立てたずれ防止突起２６が嵌まっている。幅広部４０ｂは、本体部材１０内に導かれていて、その端部（他端部）が本体部材１０内のコネクタ１５に接続されている。そして、この幅狭部４０ｃには、本体部材１０内に位置させて、折り曲げ部（折返部）４０ｅが形成されている。
【００１７】
回動部材２０の回動ケーシング２０Ｈと回動カバー部材２０Ｃとにはまた、本体部材１０と回動部材２０を相対回動させるとき、ＦＰＣ４０の表裏の異なる面に接触して該ＦＰＣの曲折部を定める曲折ガイド部２７ａ、２７ｂ（図６、図７参照）が設けられている。この曲折ガイド部２７ａと２７ｂは、図１７、図１８に示すように、ＦＰＣ４０（幅狭部４０ｃ）を異なる位置ＸとＹで曲折させるように、その位置（形状）が異なっている。
【００１８】
上記構成の本ヒンジ部のＦＰＣ案内構造は、本体カバー部材１０Ｃ及び回動カバー部材２０Ｃをそれぞれ本体ケーシング１０Ｈ及び回動ケーシング２０Ｈから外した状態において、ＦＰＣ４０の大平面部（一端部）４０ａをＬＣＤパネル２１とともに回動ケーシング２０Ｈ内に収納し、逃げ穴４０ｄを本体ケーシング１０Ｈの半割部１４ａ及び回動ケーシング２０Ｈに立てたずれ防止突起２６に嵌める。そして、幅広部４０ｂを一対の半割部２４ａの間に位置させ、幅狭部４０ｃをＦＰＣ挿通部１４に通して、本体部材１０側に導く。さらに、本体ケーシング１０Ｈ内において折り曲げ部４０ｅを作った後、幅狭部４０ｃの端部をコネクタ１５に接続する（図５）。
【００１９】
この接続が終了したら、回動ケーシング２０Ｈに回動カバー部材２０Ｃを重ね、半割部２４ａと半割部２４ｂを係合段部２４ｃで係合させて、ＦＰＣ固定回動部２４を完成させ、ＦＰＣ４０を実質的にここで固定する。さらに、本体カバー部材１０Ｃの半割部１４ｂを回動カバー部材２０Ｃの開口２５を通して半割部１４ａに突き合わせ、ＦＰＣ挿通部１４を完成させる。
【００２０】
このように組み立てられたデジタルカメラによれば、一端部の大平面部４０ａが回動部材２０内に位置するＦＰＣ４０は、本体部材１０と回動部材２０のヒンジ部において、その幅広部４０ｂが実質的にＦＰＣ固定回動部２４に固定され、幅狭部４０ｃがＦＰＣ挿通部１４部分を通って本体部材１０内に導かれている。そして、本体部材１０内に折り曲げ部４０ｅが存在するので、本体部材１０と回動部材２０とを相対回動させる際の動きは、折り曲げ部４０ｅで吸収される。また、曲折ガイド部２７ａと２７ｂは、回動部材２０を開いたときと閉じたときで、ＦＰＣ４０（幅狭部４０ｃ）の曲折位置を変化させるので、同一箇所が繰り返し曲折されることに起因する破断のおそれを減らす。さらに、ＦＰＣ固定回動部２４とＦＰＣ挿通部１４部分においてＦＰＣ４０は外観に露出しないので、高級感を与える。
【００２１】
【発明の効果】
本発明によれば、本体部材と回動部材の間のヒンジ部を介してＦＰＣを案内する構造において、ヒンジ部におけるＦＰＣの遊びを少なく、かつＦＰＣの外観への露出を防ぐことができるＦＰＣ案内構造が得られる。
【図面の簡単な説明】
【図１】  本発明によるヒンジ部のＦＰＣ案内構造を適用したデジタルカメラの正面からの斜視図である。
【図２】  同デジタルカメラのディスプレイを開いた状態の斜視図である。
【図３】  同デジタルカメラの背面からの斜視図である。
【図４】  同デジタルカメラのディスプレイを開いた状態の背面からの斜視図である。
【図５】  図４の状態からデジタルカメラ本体のカバー部材及びディスプレイ部材のカバー部材を除いた状態の斜視図である。
【図６】  図３のVI‐VI線に沿う断面図である。
【図７】  図４のVII‐VII線に沿う断面図である。
【図８】  ディスプレイ部材のカバー部材単体の斜視図である。
【図９】  同カバー部材単体の別の角度からの斜視図である。
【図１０】  同カバー部材単体の別の角度からの斜視図である。
【図１１】  同カバー部材単体の別の角度からの斜視図である。
【図１２】  ディスプレイ部材単体及び摩擦部材の斜視図である。
【図１３】  同ディスプレイ部材に摩擦部材を挿入した状態の斜視図である。
【図１４】  図１２、図１３のディスプレイ部材をデジタルカメラ本体に組み合わせた状態及びヒンジ軸の斜視図である。
【図１５】  同デジタルカメラ本体とディスプレイ部材とをヒンジ軸で枢着した状態の斜視図である。
【図１６】  デジタルカメラ本体からそのカバー部材及びディスプレイ部材を除いた単体の斜視図である。
【図１７】  同デジタルカメラ本体に対してディスプレイ部材を閉じたときのＦＰＣの曲折部の様子を示す拡大断面図である。
【図１８】  同閉じたときのＦＰＣの曲折部の様子を示す拡大断面図である。
【符号の説明】
１０  本体部材（デジタルカメラ本体）
１０Ｈ  本体ケーシング
１０Ｃ  本体カバー部材
１２  本体側筒状部
１２ａ  回り止め溝
１２ｂ  円形断面穴
１４  ＦＰＣ挿通部
１４ａ  １４ｂ  半割部
１４ｃ  係合段部
１５  コネクタ
２０  回動部材（ディスプレイ部材）
２０Ｈ  回動ケーシング
２０Ｃ  回動カバー部材
２１  ＬＣＤパネル
２２  窓
２３  回動側筒状部
２３ａ  略断面三角形穴
２４  ＦＰＣ固定回動部
２４ａ  ２４ｂ  半割部（筒状部）
２４ｃ  係合段部
２５  開口
２６  ずれ防止突起
２７ａ  ２７ｂ  曲折ガイド部
３０  ヒンジ軸
３１  摩擦部材
３０ａ  軸部
３０ｂ  径方向突起
４０  ＦＰＣ
４０ａ  大平面部（一端部）
４０ｂ  幅広部
４０ｃ  幅狭部
４０ｄ  逃げ穴
４０ｅ  折り曲げ部
【図１】
0004153717.tif 000002
【図２】
0004153717.tif 000003
【図３】
0004153717.tif 000004
【図４】
0004153717.tif 000005
【図５】
0004153717.tif 000006
【図６】
0004153717.tif 000007
【図７】
0004153717.tif 000008
【図８】
0004153717.tif 000009
【図９】
0004153717.tif 000010
【図１０】
0004153717.tif 000011
【図１１】
0004153717.tif 000012
【図１２】
0004153717.tif 000013
【図１３】
0004153717.tif 000014
【図１４】
0004153717.tif 000015
【図１５】
0004153717.tif 000016
【図１６】
0004153717.tif 000017
【図１７】
0004153717.tif 000018
【図１８】
0004153717.tif 000019